(57)【要約】      （修正有）【課題】適正な時期にデータ記憶装置を交替するか、又は初期化して、データ記憶装置を利用する様々な装置の使用の目的を安定的に達成する方法を提供する。【解決手段】データ記憶装置２０が搭載されるホスト１０からデータ記憶装置にスペアブロック状態情報を要求するスペアブロック状態情報要求段階Ｓ１０と、データ記憶装置が、ホストのスペアブロック状態情報要求時のスペアブロック状態情報をホストに伝送するスペアブロック状態情報提供段階Ｓ２０と、ホストが、入力されたスペアブロック状態情報を参照して、ユーザ３０にデータ記憶装置の書き込み禁止危険を認識させる警告段階Ｓ３０と、を含む。【選択図】図２
2015191664.tif 000002
【特許請求の範囲】
【請求項１】
データ記憶装置の書き込み禁止警告方法において、
前記データ記憶装置が搭載されるホストから前記データ記憶装置にスペアブロック状態情報を要求するスペアブロック状態情報要求段階と、
前記データ記憶装置は、前記ホストのスペアブロック状態情報要求時点のスペアブロック状態情報を前記ホストに伝達するスペアブロック状態情報提供段階と、
前記ホストは、入力されたスペアブロック状態情報を参照して、ユーザにデータ記憶装置の書き込み禁止危険を認識させる警告段階と、を含むことを特徴とするメモリチップを有するデータ記憶装置の書き込み禁止警告方法。
【請求項２】
前記スペアブロック状態情報は、
スペアブロックの個数であるとし、
前記警告段階は、前記スペアブロックの個数が前記ホストで設定した値より小さいか、又は‘０’である場合に、ユーザにデータ記憶装置の書き込み禁止危険を認識させることを特徴とする請求項１に記載のメモリチップを有するデータ記憶装置の書き込み禁止警告方法。
【請求項３】
前記スペアブロック状態情報提供段階は、
前記スペアブロック状態情報をスペアブロックの個数であるとし、
前記スペアブロックの個数が‘０’である場合のみに、前記ホストにエラーメッセージを出力することを特徴とする請求項１に記載のメモリチップを有するデータ記憶装置の書き込み禁止警告方法。
【請求項４】
前記スペアブロック状態情報要求段階は、
前記ホストに電源が印加されてホストの初期駆動時に行われることを特徴とする請求項１に記載のメモリチップを有するデータ記憶装置の書き込み禁止警告方法。
【請求項５】
前記警告段階は、
ホストに備えられた表示窓を通じたメッセージの出力と、警告灯の点滅と、警告音の出力のうちのいずれか１方法により行われることを特徴とする請求項１に記載のメモリチップを有するデータ記憶装置の書き込み禁止警告方法。
【請求項６】
前記ホストは、
動画を記憶する画像記録装置であることを特徴とする請求項１に記載のメモリチップを有するデータ記憶装置の書き込み禁止警告方法。
【発明の詳細な説明】
【技術分野】
【０００１】
本発明は、別名‘フラッシュメモリ’というメモリチップを記憶媒体とするデータ記憶装置（メモリカード）の使用に係り、特に、前記データ記憶装置のデータを安全に記憶できるか否かを知らせる方法に関する。
【背景技術】
【０００２】
本発明のデータ記憶装置は、‘フラッシュメモリ’というメモリチップを持つ通常の‘メモリカード’と称するデータ記憶装置として、フラッシュメモリを持つデータ記憶装置の例と、これを利用するホストの例を図１に示している。示したように、ＳＤカード、マイクロＳＤカード、ＵＦＤ（ＵＳＢ  Ｆｌａｓｈ  Ｄｒｉｖｅｒ）、ｅＭＭＣ（ｅｍｂｅｄｄｅｄ  Ｍｕｌｔｉ  Ｍｅｄｉａ  Ｃａｒｄ）、ＳＳＤ（Ｓｏｌｉｄ  Ｓｔａｔｅ  Ｄｒｉｖｅｒ）などがある。
【０００３】
前記メモリチップは、電源の供給が切れても、記憶されたデータを保存するＲＯＭの利点と、情報の入出力が自由なＲＡＭの利点とを同時に持っている半導体メモリとして、低消費電力と電源の供給が切れても、記憶された情報を保持する特性を有する不揮発性データ記憶媒体であり、データの入出力も自由なので、図１に示したように、イベントデータレコーダ、ＭＰ３プレーヤ、スマートフォン、デジタルテレビ、デジタルビデオカメラ、デジタルカメラ、ゲーム機、パソコンなどの様々なデジタル機器（ホスト）に広く使用されている。
【０００４】
このようなフラッシュメモリを持つデータ記憶装置は、通常データの更新が頻繁に行われることに応じてバッドブロック（Ｂａｄ  ｂｌｏｃｋ）が発生することになり、前記バッドブロックはスペアブロック（Ｓｐａｒｅ  ｂｌｏｃｋ）に代替される。
しかし、バッドブロックの発生がスペアブロックの容量を超えている場合に、メモリカードは書き込み禁止（ｗｒｉｔｅ  ｐｒｏｔｅｃｔ）が設定されて、読み出し専用のみになる。つまり、メモリカードを長期間使用するようになれば、データの記憶不良の問題が発生するようになる。
【０００５】
例えば、‘車両用ブラックボックス’というイベントデータレコーダで動画データ記憶用として設置されるＳＤカード（データ記憶装置）の場合に、ユーザが前記ＳＤカードの書き込み禁止状態を認識することができないため、一般的に書き込み禁止状態のＳＤカードを交替するか、又は初期化せずに継続して使用している。
【０００６】
このように書き込み禁止状態のＳＤカードを使用し続けることにより、録画が行われず、必要な瞬間のデータ（例えば、動画ファイル）を活用できないという問題が発生している。
【０００７】
また、動画（データ）の記録に失敗した場合に、ほとんどのユーザは、イベントデータレコーダに問題が発生したと認識するが、実際は、ほとんどＳＤカードの書き込み禁止状態によって動画の記録が失敗した場合である。
【０００８】
このように、ユーザは、フラッシュメモリを有するデータ記憶装置の書き込み禁止状態を認識することができないため、前記データ記憶装置の交替又は初期化の時期を認識することができない致命的な問題があり、これによって、重要なデータを失うか、又はデータ記憶装置を利用する様々なデジタル装置（ホスト）の使用の目的を達成することができないようになる。
【０００９】
下記従来技術は、故障メモリセルをアドレスに基づいてリードメモリセルグループと、補完メモリセルグループと、非補完メモリセルグループに分類する段階と、前記リードメモリセルグループを参照して、第１初期終結条件を満足するか否かを判断する段階と、前記第１初期終結条件を満たしていない場合に、前記リードメモリセルグループと補完メモリセルグループとを参照して、第２初期終結条件を満足するか否かを判断する段階と、前記第２初期終結条件を満たしていない場合には、前記故障メモリセルをスペアメモリブロックに交替する段階とを含んでいる。この場合に、前記交替動作は、前記補完メモリセルグループを構成する故障メモリセルと、これに対応するリードメモリセルグループを構成する故障メモリセルとを共に修理することを技術的特徴とする。
【００１０】
しかし、前記従来技術も故障メモリセルをスペアメモリブロックに交替することで、スペアメモリブロックを全部使用した場合、すなわち、メモリカードの書き込み禁止状態の場合に発生する書き込み禁止状態により発生する問題を解決することができない。
【先行技術文献】
【特許文献】
【００１１】
【特許文献１】韓国特許出願第１０−２００９−００６７９１７号
【発明の概要】
【発明が解決しようとする課題】
【００１２】
本発明の目的は、上述のように、フラッシュメモリを有するデータ記憶装置において、スペアブロックを全部使用した場合に発生する問題を根本的に解決するために、ユーザが前記データ記憶装置のスペアブロックの容量が限界に達したことを認識することができる方法を提供することにある。
【００１３】
また、本発明の目的は、適正な時期に前記データ記憶装置を交替するか、又は初期化して、データ記憶装置を利用する様々な装置の使用の目的を安定的に達成する方法を提供することにある。
【課題を解決するための手段】
【００１４】
本発明のデータ記憶装置の書き込み禁止警告方法において、前記データ記憶装置が搭載されているホストから前記データ記憶装置にスペアブロック状態情報を要求するスペアブロック状態情報要求段階と、前記データ記憶装置は、前記ホストのスペアブロック状態情報要求時のスペアブロック状態情報を前記ホストに伝達するスペアブロック状態情報提供段階と、前記ホストは、入力されたスペアブロック状態情報を参照して、ユーザにデータ記憶装置の書き込み禁止危険を認識させる警告段階と、を含むことを特徴とする。
【００１５】
また、前記スペアブロック状態情報は、スペアブロックの個数であるとし、前記警告段階は、前記スペアブロックの個数が前記ホストで設定した値より小さいか、又は‘０’である場合に、ユーザにデータ記憶装置の書き込み禁止危険を認識させることを特徴とする。
【００１６】
また、前記スペアブロック状態情報提供段階は、前記スペアブロック状態情報をホットスペアブロックの個数であるとし、前記スペアブロックの個数が‘０’である場合のみに、前記ホストにエラーメッセージを出力することを技術的特徴とする。
また、前記スペアブロック状態情報要求段階は、前記ホストに電源が印加され、ホストの初期駆動時に行われることを特徴とする。
【００１７】
また、前記警告段階は、ホストに備えられた表示窓を通じたメッセージの出力、警告灯の点滅、または警告音の出力のうちのいずれか１方法により行われることを特徴とする。
また、前記ホストは動画を記憶する映像記録装置であることを特徴とする。
【発明の効果】
【００１８】
本発明は、上述の課題の解決手段を通じてフラッシュメモリを有するデータ記憶装置が書き込み禁止状態であることをユーザに警告することができる。
【００１９】
また、適正な時期に前記データ記憶装置を交替するか、又は初期化することによって、データ記憶装置を利用する様々な装置の使用の目的に合わせてデータを確実に保存できるようにする。
【図面の簡単な説明】
【００２０】
【図１】フラッシュメモリを有するデータ記憶装置の例と、これを利用するホストの例を示す図である。
【図２】本発明のメモリチップを有するデータ記憶装置の書き込み禁止警告方法の基本的な概念を説明する図である。
【図３】本発明のメモリチップを有するデータ記憶装置の書き込み禁止警告方法の第１例を示す図である。
【図４】本発明のメモリチップを有するデータ記憶装置の書き込み禁止警告方法の第２例を示す図である。
【図５】本発明のメモリチップを有するデータ記憶装置の書き込み禁止警告方法の第３例を示す図である。
【図６】本発明のメモリチップを有するデータ記憶装置の書き込み禁止警告方法をイベントデータレコーダに適用した例を示す図である。
【発明を実施するための形態】
【００２１】
以下、本発明が属する技術分野における通常の知識を有する者が本発明の技術的思想を容易に実施できる程度に詳細に説明するために、本発明の実施形態を添付の図面を参照して説明する。
【００２２】
本発明は、様々な変更を加えることができ、様々な形を持つことができ、特定の実施の形態を図面に例示して本文に詳細に説明する。しかし、これは本発明を特定の開示形態について限定するものではなく、本発明の思想および技術範囲に含まれるすべての変更、均等物乃至代替物を含むものと理解されるべきである。各図面を説明しながら、同様の参照符号を同様の構成要素について使用した。
【００２３】
図２は、本発明のメモリチップを有するデータ記憶装置の書き込み禁止警告方法の基本的な概念を説明する図である。示したように、本発明は、データ記憶装置の書き込み禁止警告方法において、スペアブロック状態情報要求段階Ｓ１０と、スペアブロック状態情報提供段階Ｓ２０と、警告段階Ｓ３０とを含んでいる。
【００２４】
すなわち、ホスト１０を介してユーザ３０にデータ記憶装置２０が書き込み禁止危険があることを警告して、データ記憶装置２０を交替するか、又は初期化するように誘導して、ユーザ３０がホスト１０を使用する時に、データ記憶装置２０の書き込み禁止状態によって、データの格納が失敗する状況を予めに予防する。
【００２５】
前記各段階を具体的に説明すれば、前記スペアブロック状態情報要求段階Ｓ１０は、データ記憶装置２０を使用する様々な種類のデジタル装置であるホスト１０において、ホスト１０に設置されたデータ記憶装置２０のスペアブロックの状態を把握するために、データ記憶装置２０のスペアブロックの状態を確認することができる情報をデータ記憶装置２０に要求する。
【００２６】
すなわち、前記スペアブロック状態情報要求段階Ｓ１０は、ホスト１０でデータ記憶装置２０のコントローラ部にスペアブロックの状態に対する情報要求命令を下すことによって行われる。
【００２７】
このようなスペアブロック状態情報要求段階１０は、前記ホスト１０に電源が印加され、ホスト１０の初期駆動時に行われることが望ましい。
【００２８】
すなわち、ホスト１０のブーティング時、データ記憶装置２０にスペアブロック状態情報を要求する命令を伝達する。
【００２９】
前記スペアブロック状態情報提供段階Ｓ２０は、前記ホスト１０から要求されたスペアブロック状態情報をホスト１０に提供する段階として、前記データ記憶装置２０のコントローラ部はホスト１０の要求（コマンド）に対応して、データ記憶装置２０のスペアブロック状態に関する情報をホスト１０に提供する。
【００３０】
本発明で定義する前記スペアブロック状態情報は、データ記憶装置１０のコントローラ部によって演算されるスペアブロックに関する情報として、スペアブロック状態情報要求時点のスペアブロックの個数、又は全体のスペアブロック対比残りのスペアブロックの割合（パーセント）などになることができる。
【００３１】
例えば、図３は、本発明のメモリチップを有するデータ記憶装置の書き込み禁止警告方法の第１例を示す図である。示したように、前記スペアブロック状態情報を、スペアブロックの個数であるとし、前記警告段階Ｓ３０は、前記スペアブロックの個数が前記ホスト１０で設定した値より少ない場合に、ユーザ３０にデータ記憶装置２０の書き込み禁止危険を認識させるようにする。
【００３２】
または、図４は、本発明のメモリチップを有するデータ記憶装置の書き込み禁止警告方法の第２例を示す。示したように、前記スペアブロックの個数が‘０’である場合に、ユーザ３０にデータ記憶装置２０の書き込み禁止危険を認識させる。
【００３３】
すなわち、前記図３と図４に示したように、ホスト１０で、データ記憶装置２０から受信したスペアブロック状態情報に基づいて判断して警告段階Ｓ３０を実行するが、スペアブロック状態情報をスペアブロックの個数とし、ホスト１０で設定した値（設定値）よりスペアブロックの個数が少ない場合に、またはスペアブロックの個数が‘０’である場合のみに、警告段階Ｓ３０を実行するようになる。
【００３４】
別の方法として、前記スペアブロック状態情報提供段階Ｓ２０は、前記スペアブロック状態情報をスペアブロックの個数であるとし、前記スペアブロックの個数が‘０’である場合のみに、前記ホスト１０にエラーメッセージを出力することを特徴とする。
【００３５】
図５は、本発明のメモリチップを有するデータ記憶装置の書き込み禁止警告方法の第３の例を示す図である。すなわち、示したように、ホスト１０からデータ記憶装置２０にスペアブロック状態情報を要求Ｓ１０すれば、データ記憶装置２０でスペアブロックの個数を判断し、スペアブロックの個数が‘０’であれば、ホスト１０にエラーメッセージを出力Ｓ２０し、ホスト１０からユーザ３０に警告Ｓ３０するようにし、スペアブロックの個数が１以上になれば、方法を完了する。
【００３６】
前記警告段階Ｓ３０は、前記図２に示したように、ホスト１０はデータ記憶装置２０から入力されたスペアブロック状態情報を参照して、ユーザ３０にデータ記憶装置２０の書き込み禁止危険を認識させるため、ユーザ３０に様々な方法で書き込み禁止危険を認識させることができるが、ホスト１０に備えられた表示窓を通じてメッセージの出力、警告灯の点滅、または警告音の出力のうちのいずれか１つの方法で行われることが望ましい。
例えば、前記警告段階Ｓ３０は、ホスト１０に備えられた表示窓を通じて、警告メッセージ又は状態案内メッセージを出力するか、又は警告灯を備えて、データ記憶装置２０のスペアブロック状態情報に基づいて前記警告灯を点滅させるか、又は警告音を出力することができる手段を備え、これを通じて、警告音を出力して、ユーザ３０がデータ記憶装置２０の交替時期と初期化時期を認識するようにする。
【００３７】
上述のような特徴を有する本発明は、データ記憶装置２０の書き込みと消去が頻繁に行われるイベントデータレコーダ（別名‘ブラックボックス’）、デジタルビデオカメラ、デジタルカメラなどと、動画を記憶する映像記録装置（ホスト）である場合に、より有用である。
【００３８】
以下、ブラックボックスを実施形態にして本発明を詳細に説明する。
【００３９】
図６は、本発明のメモリチップを有するデータ記憶装置の書き込み禁止警告方法をイベントデータレコーダに適用した例を示す図である。示したように、ホストであるブラックボックス１００は、ＭＬＣ方式のＳＤカード２００が装着された状態で、ブラックボックス１００を駆動させれば、ブラックボックス１００は、前記ＳＤカード２００を認識した後、データ伝送モードに進入してＡＣＭＤ１３命令を送り、ＳＤカードはスペアブロックの個数を判断して‘１’以上であれば、エラーメッセージなしでＣＭＤ２４または２５に応じて録画を開始し、スペアブロックの個数が‘０’であれば、エラーメッセージをブラックボックス１００に出力してブラックボックス１００に備えられたアラーム部１１０を駆動させ、ユーザ３０にＳＤカード２００の書き込み禁止状態危険メッセージを伝達する。
【００４０】
尚、本発明は、上述の実施形態に限られるのものではない。本発明の技術的範囲から逸脱しない範囲内で多様に変形実施することが可能である。
【符号の説明】
【００４１】
１０    ホスト
２０    データ記憶装置
３０    ユーザ
１００    ブラックボックス
１１０    アラーム部
２００    ＭＬＣＳＤカード
【図１】
2015191664.tif 000003
【図２】
2015191664.tif 000004
【図３】
2015191664.tif 000005
【図４】
2015191664.tif 000006
【図５】
2015191664.tif 000007
【図６】
2015191664.tif 000008